(57)【特許請求の範囲】
【請求項１】
複数のアンテナ装置と、前記アンテナ装置を覆うトップケースとを含み、該アンテナ装置に接続するケーブルが前記トップケースの外へ導出される車載用複合アンテナ装置において、
前記トップケースは、ケース主面と、該ケース主面の周辺から立設しているケース壁部と、前記ケーブルのそれぞれを外部へ引き出すよう前記ケース壁部の端面から前記ケース壁部を切り欠いて形成した複数の開口とを有し、
前記開口の相対向する開口面のそれぞれには、前記ケーブルのそれぞれを挟持するよう該開口面から突出している複数のリブが形成されており、
前記リブは、前記ケーブルの軸方向でかつ前記ケーブルを前記トップケースの外へ引き抜く方向で位相差を持って配置されており、
前記開口には、前記ケーブルを前記開口の所定の位置へ嵌め込むように押し込みかつ前記ケーブルを所定位置に保持するための保持部材を有し、
前記保持部材は、前記ケース壁部の端面から前記開口に嵌め込まれ、前記リブが突出する方向と略直交する方向で、前記開口との間に前記ケーブルを保持することを特徴とする車載用複合アンテナ装置。
【請求項２】
請求項１に記載の車載用複合アンテナ装置において、前記ケーブルは、主回路基板とグランド板との間に配置されており、該グランド板上には、前記ケーブルを保持するケーブルホルダを備えており、少なくとも１本の前記ケーブルが前記ケーブルホルダによって保持されていることを特徴とする車載用複合アンテナ装置。
【発明の詳細な説明】
【技術分野】
【０００１】
本発明は、複数種のアンテナを搭載した複合アンテナ装置に関する。
【背景技術】
【０００２】
この技術分野において周知のように、現在、車両には種々のアンテナが搭載される。例えば、そのようなアンテナとしては、ＧＰＳ（全地球測位システム）用アンテナや、ＥＴＣ（自動料金収受システム）用アンテナ、ＶＩＣＳ（道路交通情報通信システム）用アンテナ、電話用アンテナ等がある。
【０００３】
ＧＰＳ（Global Positioning System）は、人工衛星を用いた衛星測位システムである。ＧＰＳは、地球を周回している２４個の人工衛星のうちの４個の人工衛星からの電波（ＧＰＳ信号）を受信し、この受信した電波から移動体と人工衛星との位置関係および時間誤差を測定して三角測量の原理に基づいて、移動体の地図上における位置や高度を高精度で算出することを可能としたものである。
【０００４】
ＧＰＳは、近年では、走行する自動車の位置を検出するカーナビゲーションシステム等に利用され、広く普及している。カーナビゲーション装置は、このＧＰＳ信号を受信するためのＧＰＳ用アンテナと、このＧＰＳ用アンテナが受信したＧＰＳ信号を処理して車両の現在位置を検出する処理装置と、この処理装置で検出された位置を地図上に表示するための表示装置等から構成される。
【０００５】
一方、ＥＴＣ（Electronic toll Collection）は、高速道路等の有料道路の通行料を支払うための料金所における渋滞を緩和するための方策として開発されたシステムである。すなわち、ＥＴＣとは、高速道路料金所において、無線通信を利用して自動的に通行料金の支払いを行うシステムである。ＥＴＣでは、料金所に設置されているゲートに設けられた路側アンテナと、ＥＴＣ用アンテナを有する車載通信機器を搭載した通行車両との間で双方向通信を行い、通行車両の車両情報等を取得し、通行車両を停止させることなく高速道路通行料金の支払い業務を行うことを可能としたものである。
【０００６】
従来、ＧＰＳ用アンテナ、ＶＩＣＳ（Vehicle Information and Communication System）用アンテナ及びＥＴＣ用アンテナを備えた複合アンテナ装置が知られている（例えば、特許文献１参照）。
【０００７】
この特許文献１に開示された複合アンテナ装置では、ＥＴＣ用アンテナを、ＧＰＳ用アンテナ及びＶＩＣＳ用アンテナを実装する回路基板とは別のサブアッセンブリとして実装している。すなわち、ＥＴＣ用アンテナは、ＧＰＳ用アンテナ及びＶＩＣＳ用アンテナと指向性が大きく異なるので、ＥＴＣ用アンテナだけ独立して取り付け方向を調整できるようにしている。
【０００８】
【特許文献１】特開２００４−５６７７３号公報
【発明の開示】
【発明が解決しようとする課題】
【０００９】
しかしながら、特許文献１における複合アンテナ装置では、アンテナに接続するケーブルを外部へ引き出しているが、ケーブルの引き出し方向における引っ張り強度については考慮されておらず、引っ張り方向における強度が弱いという問題がある。
【００１０】
また、複合アンテナ装置では、ケーブルの引っ張り強度を保つために、ケーブルをロックバンドでブラケットに固定することも一案であるが、ロックバンドやブラケットを使用して固定するために大きなスペースを必要し部品点数や作業工数が増加してしまうという問題がある。
【００１１】
それ故に、本発明の課題は、ケーブルの引っ張り強度を向上でき、さらに部品点数や作業工数を減少することができ、省スペース化を図ることができる複合アンテナ装置を提供することにある。
【課題を解決するための手段】
【００１２】
本発明の第１の態様によれば、複数のアンテナ装置（１０，２０，３０，４０）と、前記アンテナ装置を覆うトップケース（９２）とを含み、該アンテナ装置に接続するケーブル（６１，６２，６３，６４）が前記トップケース（９２）の外へ導出される車載用複合アンテナ装置において、前記トップケースは、ケース主面（９２ａ）と、該ケース主面の周辺から立設しているケース壁部（９２ｂ，９２ｃ，９２ｄ，９２ｅ）と、前記ケーブルのそれぞれを外部へ引き出すよう前記ケース壁部の端面から前記ケース壁部を切り欠いて形成した複数の開口（１６１，１６２，１６３，１６４）とを有し、前記開口の相対向する開口面のそれぞれには、前記ケーブルのそれぞれを挟持するよう該開口面から突出している複数のリブ（１６５）が形成されており、
前記リブは、前記ケーブルの軸方向でかつ前記ケーブルを前記トップケースの外へ引き抜く方向で位相差（Ｌ）を持って配置されており、
前記開口には、前記ケーブルを前記開口の所定の位置へ嵌め込むように押し込みかつ前記ケーブルを所定位置に保持するための保持部材（１７１）を有し、
前記保持部材は、前記ケース壁部の端面から前記開口に嵌め込まれ、前記リブが突出する方向と略直交する方向で、前記開口との間に前記ケーブルを保持することを特徴とする車載用複合アンテナ装置が得られる。
【００１５】
上記本発明の第１の態様に係る車載用アンテナ装置において、前記ケーブル（６１〜６４）は、主回路基板（５１）とグランド板（５５）との間に配置されており、該グランド板上には、前記ケーブル（６１〜６４）を保持するケーブルホルダ（６７）を備えており、少なくとも１本の前記ケーブルが前記ケーブルホルダによって保持されているようにしても良い。
【００１６】
なお、上記括弧内の符号は、本発明の理解を容易にするために付したものであり、一例にすぎず、これらに限定されないのは勿論である。
【発明の効果】
【００１７】
本発明の複合アンテナ装置では、トップケースに形成されている複数の開口の開口面のそれぞれに開口面から突出している複数のリブを形成し、ケーブルのそれぞれをリブによって挟持するようにしたのでケーブルの引っ張り強度を向上できる。
【００１８】
また、本発明の複合アンテナ装置では、ケーブルを保持するためのロックバンドやブラケットを必要としないので、部品点数や作業工程を減少することができ、省スペース化を図ることができる。
【発明を実施するための最良の形態】
【００１９】
以下、図面を参照して、本発明の実施の形態について詳細に説明する。
【００２０】
図１乃至図４は、本発明が適用される複合アンテナ装置５０を示している。図１は複合アンテナ装置５０を斜め前方から見た分解斜視図であり、図２は複合アンテナ装置５０を斜め後方から見た分解斜視図であり、図３は複合アンテナ装置５０を底面側から見た分解斜視図である。
【００２１】
図４は図１乃至図３中からトップケース、ボトムケース、およびグランド板を省いた状態の複合アンテナ装置５０を示す図であり、（Ａ）は斜め前方から見た斜視図、（Ｂ）は平面図、（Ｃ）は前面図（正面図）、（Ｄ）は左側面図、（Ｅ）は右側面図、（Ｆ）は後面図（背面図）、（Ｇ）は底面図である。
【００２２】
図１乃至図４を参照して、複合アンテナ装置５０は、主回路基板５１とグランド板（接地板）５５とを備え、主回路基板５１上に第１のアンテナ装置１０、第２のアンテナ装置２０、第３のアンテナ装置３０、および第４のアンテナ装置４０が搭載された複合アンテナ装置である。
【００２３】
図示の例では、第１のアンテナ装置１０はＧＰＳ用アンテナであり、第２のアンテナ装置２０はＶＩＣＳ用アンテナであり、第３のアンテナ３０はＥＴＣ用アンテナであり、第４のアンテナ４０は電話用アンテナである。
【００２４】
第１のアンテナ装置１０は、第１のアンテナ素子１１と、この第１のアンテナ素子１１と接続されているＬＮＡ（低雑音増幅）回路（図示せず）とを備える。図示の例では、第１のアンテナ素子１１はパッチアンテナで構成されている。
【００２５】
第２のアンテナ装置２０は、第１のアンテナ装置１０と異なった位置に設けられている。第２のアンテナ装置２０は、第２のアンテナ素子２１と、この第２のアンテナ素子２１と接続されているフィルタ回路（図示せず）とを備える。図示の例では、第２のアンテナ素子２１も、第１のアンテナ素子１１と同様に、パッチアンテナで構成されている。
【００２６】
第１のアンテナ素子１１で受信されＬＮＡ回路を介して出力される信号と、第２のアンテナ素子２１で受信されフィルタ回路を介して出力される信号とはデュプレクサ（図示せず）で合成され、その合成信号は第１の出力ケーブル６１を介して信号処理装置（図示せず）へ伝達される。
【００２７】
第３のアンテナ装置３０は、主回路基板５１の主面５１ｅ上に前辺５１ａ側に配置され、第１及び第２のアンテナ素子１１、２１の配置位置よりも低い位置に配置されている。これにより、第３のアンテナ装置３０が第１及び第２のアンテナ装置１０、２０の受信の障害とならない。また、第３のアンテナ装置３０は、主回路基板５１の主面５１ｅに対して所定角度傾斜して配置されている。
【００２８】
第３のアンテナ装置３０は、第３のアンテナ素子３１と、この第３のアンテナ素子３１と平行に配置されたグランド板３２と、グランド板３２を搭載するベース３４と、第３のアンテナ素子３１とグランド板３２との間に介在するスペーサ３５とを備えている。なお、ベース３４は主回路基板５１にネジによって取り付けられると共に、グランド板５５上に搭載される。
【００２９】
グランド板３２は、その周端縁から第３のアンテナ素子３１の方向へ第３のアンテナ素子３１を囲むように立設して延びる壁部３２ａを有する。壁部３２ａの高さは、第３のアンテナ素子３１とグランド板３２との間の離間距離に実質的に等しいか、或いはそれよりも低い。第３のアンテナ素子３１とグランド板３２との間には給電導体（図示せず）を持つスペーサ（図示せず）が介在している。第３のアンテナ素子３１は、矩形の金属板からなり、対角方向に長孔３１ａを持つ。
【００３０】
第３のアンテナ素子３１で受信された信号は、同軸型の第２の出力ケーブル６２を介して外部回路（図示せず）へ伝達される。詳述すると、第２の出力ケーブル６２の中心導体（内部導体）は給電導体の一端に接続され、第２の出力ケーブル６２の外部導体はグランド板３２に接続されている。
【００３１】
第４のアンテナ装置４０は、帯状の給電素子４１と、この給電素子４１と平行に配置された帯状の無給電素子４２とから構成されている。図示の例では、給電素子４１は逆Ｌ素子から構成されている。無給電素子４２は寄生素子から構成されている。
【００３２】
給電素子４１および無給電素子４２は、アンテナホルダ７５によって保持されている。アンテナホルダ７５は、主回路基板５１の主面５１ｅ上に搭載されている。
【００３３】
さらに、第４のアンテナ装置４０は、サブアンテナ４５をも備えている。サブアンテナ４５は主回路基板５１の主面５１ｅ上に形成された導体パターンから構成されて良い。このサブアンテナ４５で受信された信号は、同軸型の第４の出力ケーブル６４を介して外部回路（図示せず）へ伝達される。
【００３４】
給電素子４１は、主回路基板５１の前辺５１ａ側で主回路基板５１の主面５１ｅから垂直方向に延びる垂直部分４１１と、この垂直部分４１１の先端から主回路基板５１の主面５１ｅに対して実質的に平行に水平方向に延びる水平部分４１２とを有する。垂直部分４１１は水平部分４１２と略平行な方向へ矩形状に折り返された矩形部分を有しており、低背化している。なお、図示の例では、水平部分４１２は、主回路基板５１の前辺５１ａ側の前方部分が主回路基板５１の主面５１ｅへ近づく方向へ傾斜している。これは、後述するトップケースの形状に合わせるためである。
【００３５】
無給電素子４２は、給電素子４１の水平部分４１２の先端側で主回路基板５１の主面５１ｅから垂直に延びる垂直部分４２１と、この垂直部分４２１の先端から主回路基板５１の主面５１ｅに対して実質的に平行に水平方向に延びる水平部分４２２とを有する。尚、図示の例では、水平部分４２２は、主回路基板５１の前辺５１ａ側の前方部分が主回路基板５１の主面５１ｅへ近づく方向へ傾斜している。これは、前述したように、トップケースの形状に合わせるためである。
【００３６】
さらに、アンテナホルダ７５には、主回路基板５１へアンテナホルダ７５をネジ１０１によって固定するための複数のホルダ固定部７９が形成されている。
【００３７】
主回路基板５１の裏面にはグランドパターン（図示せず）が形成されている。従って、主回路基板５１は接地板としても働く。主回路基板５１の主面５１ｅの逆Ｌ素子４１と接する箇所は給電点（図示せず）であり、この給電点は同軸型の第３の出力ケーブル６３の内部導体（中心導体）（図示せず）に接続されている。また、この給電点の箇所で、第３の出力ケーブル６３の外部導体（図示せず）は、主回路基板５１の裏面に形成されているグランドパターンとはんだ付けにより電気的に接続され、接地される。すなわち、第３の出力ケーブル６３は、給電点において第１の接地部８１を有する。
【００３８】
複合アンテナ装置５０においては、板バネ８２ａを用いて第３の出力ケーブル６３の露出した外部導体に板バネ８２ａを巻き付け固定し、ねじ締めによって主回路基板５１上に固定し、主回路基板５１の裏面に形成されたグランドパターンと電気的に接続し接地している。
【００３９】
なお、複合アンテナ装置５０においては、接地金具（図示せず）を用いて、第３の出力ケーブル６３の露出した外部導体に接地金具を巻き付けカシメ固定し、ねじ締めによって主回路基板５１上に固定し、主回路基板５１の裏面に形成されたグランドパターンと電気的に接続し接地することもできる。
【００４０】
複合アンテナ装置５０においては、第１乃至第４の出力ケーブル６１〜６４は主回路基板５１の裏面５１ｆ上を引き回される。そして、これら第１乃至第４の出力ケーブル６１〜６４は、主回路基板５１の裏面５１ｆ上に取り付けられたケーブルホルダ６７によって保持される。換言すれば、第１乃至第４の出力ケーブル６１〜６４は、主回路基板５１とグランド板５５との間に配置されている。
【００４１】
複合アンテナ装置５０において、第１のアンテナ装置１０のＬＮＡ（低雑音増幅）回路（図示せず）および第２のアンテナ装置２０のフィルタ回路（図示せず）は、主回路基板５１Ａの裏面５１ｆ上に搭載されている。そして、これらＬＮＡ回路とフィルタ回路は、主回路基板５１の裏面５１ｆ上に設けられたシールドケース１５によって覆われている。
【００４２】
さらに、複合アンテナ装置５０は、主回路基板５０を搭載するボトムケース９１を更に備えている。ボトムケース９１は主回路基板５０よりやや大きめの寸法の矩形形状をしている。
【００４３】
複合アンテナ装置５０は、第１乃至第４のアンテナ装置１０、２０、３０、及び４０を覆うトップケース９２を更に備えている。なお、トップケース９２はレドームとも呼ばれている。
【００４４】
トップケース９２は、アンテナホルダ７５のホルダ主面７５ａに対応しているケース主面９２ａと、ケース主面９２ａの周辺から立設されている第１乃至第４のケース壁部９２ｂ，９２ｃ，９２ｄ，９２ｅとを有している。第１乃至第４のアンテナ装置１０、２０、３０、及び４０は、ボトムケース９１及びトップケース９２に収容される。
【００４５】
第１のケース壁部９２ｂは、主回路基板５１の前辺５１ａに対応する壁部である。第２のケース壁部９２ｃは、第１のケース壁部９２ｂに対向している。第３及び第４のケース壁部９２ｄ，９２ｅは、相対向しており、第１及び第２のケース壁部９２ｂ，９２ｃ間を接続している。このような構成の複合アンテナ装置５０は、主回路基板５１の前辺５１ａが前方となるように、車両内部のダッシュボード内等に取り付けられる。
【００４６】
さらに、トップケース９２の第２のケース壁部９２ｃには、第１乃至第４の出力ケーブル６１〜６４をそれぞれ外部へ引き出すための第１乃至第４の開口１６１、１６２，１６３，１６４が形成されている。第１乃至第４の開口１６１、１６２，１６３，１６４は、第２のケース壁部９２ｃの端面を溝状に切り欠くことによっていて形成されている部分である。
【００４７】
ボトムケース９１は、後縁を除いて、トップケース９２の周壁を覆うように立設する壁９１ａを有する。ボトムケース９１の壁９１ａの両側面には、一対のブラケット９５が取り付けられている。この一対のブラケット９５によって、複合アンテナ装置５０は、車両内部のダッシュボート内で取り付けられ、或いはパケットトレイ（リア）内に埋め込まれる。とにかく、ブラケット９５を設けることによって、複合アンテナ装置５０の取り付けを容易に行うことが可能となる。
【００４８】
複合アンテナ装置５０においては、第１乃至第４の出力ケーブル６１〜６４は主回路基板５１の裏面５１ｆ上を引き回される。そして、これら第１乃至第４の出力ケーブル６１〜６４は、主回路基板５１の裏面５１ｆ上に取り付けられたケーブルホルダ６７によって保持される。換言すれば、第１乃至第４の出力ケーブル６１〜６４は、主回路基板５１とグランド板５５との間に配置されている。
【００４９】
複合アンテナ装置５０において、第１のアンテナ装置１０のＬＮＡ（低雑音増幅）回路（図示せず）および第２のアンテナ装置２０のフィルタ回路（図示せず）は、主回路基板５１の裏面５１ｆ上に搭載されている。そして、これらＬＮＡ回路とフィルタ回路は、主回路基板５１の裏面５１ｆ上に設けられたシールドケース１５によって覆われている。
【００５０】
次に、図５及び図６をも参照して、複合アンテナ装置５０における、第３の出力ケーブル６３の第２の接地部の固定構造について説明する。
【００５１】
ケーブルホルダ６７は、第１乃至第４の出力ケーブル６１〜６４をそれぞれ保持するため下方に開放した第１乃至第４の保持溝６７−１、６７−２、６７−３、および６７−４を持つ。
【００５２】
また、ケーブルホルダ６７は、その両端で上方へ延在する一対のフック部６７２を持つ。一方、主回路基板５１は、これら一対のフック部６７２が係合される一対の係合孔５１２を持つ。したがって、一対のフック部６７２を一対の係合孔５１２に係合させることにより、ケーブルホルダ６７は主回路基板５１の裏面５１ｆ上に取り付けられる。
【００５３】
ケーブルホルダ６７は、一端側で下方へ延在する位置決め突起６７４を持つ。一方、グランド板５５は、この位置決め突起６７４が嵌合される位置決め孔５５２を持つ。位置決め突起６７４を位置決め孔５５２に嵌合することによって、ケーブルホルダ６７はグランド板５５上で位置決めされる。
【００５４】
第３の出力ケーブル６３の被膜は、第１の接地部８１から実質的にλ／４の距離だけ離れた箇所で剥がされ、第３の出力ケーブル６３の外部導体が露出している。
【００５５】
複合アンテナ装置５０においては、第３の出力ケーブル６３の露出した外部導体に板バネ８２ａを巻き付けカシメ固定し、ねじ締めによって主回路基板５１上に固定し、主回路基板５１の裏面に形成されたグランドパターンと電気的に接続し、接地している。
【００５６】
板バネ８２ａは、第３の出力ケーブル６３の露出した外部導体に巻き付けられて電気的に接続される円筒状部８２１と、この円筒状部８２１から延在してネジ１０１によりグランド板５５に板バネ８２ａを接続固定するための取付部８２２とを有する。すなわち、取付部８２２は、ネジ１０１によりケーブルホルダ６７とグランド板５５との間に取り付けられる。一方、グランド板５５は、ネジ１０１が螺合されるように雌螺子が切られ、上方へ突出するバーリング穴５５４を持つ。すなわち、バーリング穴５５４は、主回路基板５１Ａ側へ向けて突出している。板バネ８２ａの取付部８２２は、このバーリング穴５４４の外周壁を覆うように上方へ突出する円筒状突起８２２ａを持つ。尚、主回路基板５１は、ネジ１０１のネジ部を貫通するための貫通穴５１４を持ち、ケーブルホルダ６７も、ネジ１０１のネジ部を貫通するための貫通穴６７６を持つ。
【００５７】
このような構成の第３の出力ケーブル６３の第２の接地部の固定構造において、ネジ１０１を主回路基板５１の貫通穴５１４、ケーブルホルダ６７の貫通穴６７６を貫通して、グランド板５５のバーリング穴５５４に螺合させることによって、板バネ８２ａの取付部８２２がグラント板５５に電気的に接続固定される。その際、バーリング穴５５４の突出部と取付部８２２の円筒状突起８２２ａとが互いに密着して接触し、第３の出力ケーブル６３と板バネ８２ａとが締め付けられる。
【００５８】
複合アンテナ装置５０においては、１本のネジ１０１による螺合によって、カシメ工程とネジ締め工程とを１工程で同時に行なうことができ、組立工程を減少することができる。また、グランド板５５に設けたバーリング穴（ネジ締め穴部）５５４と対応する位置で、板バネ８２ａに円筒状突起８２２ａを設けているので、幾何公差、寸法公差のバラつきに依存せずに、確実に第３の出力ケーブル６３の露出した外部導体を接地することができる。
【００５９】
以下に、本発明が適用される更に別の複合アンテナ装置５０Ａについて説明する。図７はボトムケース９１、およびグランド板５５を省いた状態の複合アンテナ装置５０Ａを裏面側から見た斜視図である。
【００６０】
以下では、図１及び図２に示した複合アンテナ装置５０と同様の機能の有するものには同一の参照符号を付し、説明の簡略化の為に、異なる点についてのみ詳細に説明する。
【００６１】
トップケース９２には、図２において示したトップケース９２と同様に第１乃至第４の出力ケーブル６１〜６４をそれぞれ外部へ引き出すための第１乃至第４の開口１６１、１６２，１６３，１６４が形成されている。
【００６２】
図８は、第２のケース壁部９２ｃの第３の開口１６３に出力ケーブル６３を嵌め込んだ状態を示している。第３の開口１６３の相対向する開口面のそれぞれには、開口面から突出している複数のリブ１６５が形成されている。図８に示したように、第３の開口１６３には、出力ケーブル６３を嵌め込み複数のリブ１６５によって出力ケーブル６３を挟持して保持する。
【００６３】
出力ケーブル６３は、図５に示した出力ケーブル６３と同様に、１つのケーブルホルダ６７Ａによって保持されて第３の出力ケーブル６３と板バネ８２ａとが締め付けられる。リブ１６５は、一方側の開口面に形成されている複数のリブ１６５と、他方側の開口面に形成されているリブ１６５が図８に示したように、出力ケーブル６３の軸方向でかつ出力ケーブル６３をトップケース９２の外へ引き抜く方向である引き抜き方向Ｉの力による引き抜きに対する強度を向上させるために位相差Ｌを持って配置されている。
【００６４】
なお、図示していないが、第２のケース壁部９２ｃの第１の開口１６１、第２の開口１６２及び第４の開口１６４にも出力ケーブル６１，６２、６４をそれぞれ嵌め込むように、相対向する開口面のそれぞれに開口面から突出している複数のリブ１６５が形成されている。
【００６５】
したがって、第１の開口１６１、第２の開口１６２及び第４の開口１６４には、出力ケーブル６１，６２、６４がそれぞれ嵌め込まれ、複数のリブ１６５によって出力ケーブル６３が挟持されて保持される。
【００６６】
さらに、第１乃至第４の開口１６１、１６２，１６３，１６４には、出力ケーブル６１，６２，６３，６４を第１乃至第４の開口１６１，１６２，１６３，１６４の所定の位置へ嵌め込まれるように押し込みかつ所定位置に保持するための保持部材１７１を嵌めこむ。なお、保持部材１７１は、第１乃至第４の開口１６１，１６２，１６３，１６４のそれぞれに圧入して嵌め込むか、もしくは第１乃至第４の開口１６１，１６２，１６３，１６４の開口面に接着剤によって接着するなどして固定するようにしてもよい。
【００６７】
図９は、４つの保持部材１７１が板部材１７３に一体になっている例を示している。板部材１７３は、第２のケース壁部９３ｃの内面に対向するように形成されている溝部１７６に嵌め込まれることによって４つの保持部材１７１を同時に第１乃至第４の開口１６１，１６２，１６３，１６４に嵌め込むことができる。
【００６８】
以上、本発明について好ましい実施の形態によって説明してきたが、本発明は上述した実施の形態に限定しないのは勿論である。例えば、上記実施の形態では、出力ケーブルの本数が増減しても出力ケーブルの本数に合わせて開口を形成しておくことによってケーブルを保持することが可能である。
【００６９】
また、リブの数、リブの形状（高さ）はケーブルの線径により異なることは明らかであり、リブの数、リブの形状が異なっていても適用できることは言うまでもない。
【図面の簡単な説明】
【００７０】
【図１】本発明が適用される更に別の複合アンテナ装置を斜め前方から見た分解斜視図である。
【図２】図１に示した複合アンテナ装置を斜め後方から見た分解斜視図である。
【図３】図１に示した複合アンテナ装置を底面側から見た分解斜視図である。
【図４】図１乃至図３中からトップケース、ボトムケース、およびグランド板を省いた状態の複合アンテナ装置を示す図で、（Ａ）は斜め前方から見た斜視図、（Ｂ）は平面図、（Ｃ）は前面図（正面図）、（Ｄ）は左側面図、（Ｅ）は右側面図、（Ｆ）は後面図（背面図）、（Ｇ）は底面図である。
【図５】図４に示した給電素子と無給電素子とを取り付けたアンテナホルダを示す斜視図である。
【図６】図５に示した給電素子と無給電素子とを取り付けたアンテナホルダを裏面から見た状態の断面図である。
【図７】本発明が適用される更に別の複合アンテナ装置の実施例を示しており、ボトムケース及びグランド板を省いた状態の複合アンテナ装置を裏面側から見た斜視図である。
【図８】図７に示したトップケースと出力ケーブルとの保持部分を示す平面図である。
【図９】図８に示したトップケースと出力ケーブルとの保持部分の他の例を示しており、組み立て前の状態を示した斜視図である。
【符号の説明】
【００７１】
１０    第１のアンテナ装置（ＧＰＳ用アンテナ）
１１    第１のアンテナ素子（パッチアンテナ）
１５    シールドケース
２０    第２のアンテナ装置（ＶＩＣＳ用アンテナ）
２１    第２のアンテナ素子（パッチアンテナ）
３０    第３のアンテナ装置（ＥＴＣ用アンテナ）
３１    第３のアンテナ素子
３１ａ    長孔
３２    グランド板
３２ａ    壁部
３４    ベース
３５    スペーサ
４０    第４のアンテナ装置（電話用アンテナ）
４１    給電素子（逆Ｌ素子）
４２    無給電素子（寄生素子）
４５    サブアンテナ
５０、５０Ａ    複合アンテナ装置
５１    主回路基板（接地板）
５１ａ    前辺
５１ｆ    裏面
５１２    係合孔
５１４    貫通穴
５５    グランド板
５５２    位置決め孔
５５４    バーリング穴
６１    第１の出力ケーブル
６２    第２の出力ケーブル
６３    第３の出力ケーブル（同軸ケーブル）
６４    第４の出力ケーブル
６７    ケーブルホルダ
６７２    フック部
６７４    位置決め突起
６７６    貫通穴
７５    アンテナホルダ
８１    第１の接地部
８２ａ    第２の接地部（板バネ）
８２１    円筒状部
８２２    取付部
８２２ａ    円筒状突起
９１    ボトムケース
９１ａ    壁
９２    トップケース
９２ａ    ケース主面
９２ｂ    第１のケース壁部
９２ｃ    第２のケース壁部
９２ｄ    第３のケース壁部
９２ｅ    第４のケース壁部
９５    ブラケット
１６１    第１の開口
１６２    第２の開口
１６３    第３の開口
１６４    第４の開口
１６５    リブ
１７１    保持部材
１７３    板部材
１７６    溝部
【図１】
0004694394.tif 000002
【図２】
0004694394.tif 000003
【図３】
0004694394.tif 000004
【図４】
0004694394.tif 000005
【図５】
0004694394.tif 000006
【図６】
0004694394.tif 000007
【図７】
0004694394.tif 000008
【図８】
0004694394.tif 000009
【図９】
0004694394.tif 000010